(57)【要約】【課題】  本発明は、呼気等の空気を供給することができる供給管を用いて人工呼吸をするように構成することによって、人工呼吸に技術を要しないとともに、人工呼吸を行う者にとって抵抗がなく、しかも適切な人工呼吸を行うことができる人工呼吸器を得るにある。【解決手段】  呼気等の空気を人工呼吸される人の口内に供給することができる供給管と、この供給管の下流部に設けられた、前記人工呼吸される人の口を覆うことができるあるいは口に咥えさせることができる空気供給補助具とで人工呼吸器を構成している。【選択図】  図１
2005118203.tif 000002
【特許請求の範囲】
【請求項１】
呼気等の空気を人工呼吸される人の口内に供給することができる供給管と、この供給管の下流部に設けられた、前記人工呼吸される人の口を覆うことができるあるいは口に咥えさせることができる空気供給補助具とからなることを特徴とする人工呼吸器。
【請求項２】
空気を供給することができる空気供給具と、この空気供給具に接続された、人工呼吸される人の口内に空気を供給することができる供給管と、この供給管の下流部に設けられた、前記人工呼吸される人の口を覆うことができるあるいは口に咥えさせることができる空気供給補助具とからなることを特徴とする人工呼吸器。
【請求項３】
呼気等の空気を人工呼吸される人の口内に供給することができる供給管と、この供給管の下流部に設けられた、前記人工呼吸される人の口を覆うことができるあるいは口に咥えさせることができる空気供給補助具と、この空気供給補助具あるいは前記供給管に設けられた、前記人工呼吸される人の鼻孔を閉塞することができるノーズクリップとからなることを特徴とする人工呼吸器。
【請求項４】
呼気等の空気を供給することができる供給管と、この供給管の下流部に設けられた、前記空気を人工呼吸される人の口内に供給することができる空気供給パイプと、この空気供給パイプが一体形成された、前記人工呼吸される人の口を覆うことができる空気供給補助具とからなることを特徴とする人工呼吸器。
【発明の詳細な説明】
【技術分野】
【０００１】
本発明は、心肺蘇生時等に用いられる人工呼吸器に関する。
【背景技術】
【０００２】
従来、人が水に溺れたり、心臓発作等によって呼吸が停止している場合、マウストゥーマウスによる人工呼吸が行われている。
【０００３】
しかしながら、従来の人工呼吸は、技術を要するとともに、直接口移しで行うため、人工呼吸を行う者にとって抵抗があるという欠点があった。
また、人工呼吸時は不自由な姿勢を強いられ、人工呼吸する人の視野がピンポイント的になるため、人工呼吸される人の変化を全体的に観察しずらく、呼吸回復時等に迅速に対応しずらいという欠点があった。
【発明の開示】
【発明が解決しようとする課題】
【０００４】
本発明は以上のような従来の欠点に鑑み、呼気等の空気を供給することができる供給管を用いて人工呼吸をするように構成することによって、人工呼吸に技術を要しないとともに、人工呼吸を行う者にとって抵抗がなく、しかも適切な人工呼吸を行うことができる人工呼吸器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、呼気等の空気を人工呼吸される人の口内に供給することができる供給管と、この供給管の下流部に設けられた、前記人工呼吸される人の口を覆うことができるあるいは口に咥えさせることができる空気供給補助具とで人工呼吸器を構成している。
【発明の効果】
【０００７】
以上の説明から明らかなように、本発明にあっては次に列挙する効果が得られる。
【０００８】
（１）呼気等の空気を人工呼吸される人の口内に供給することができる供給管と、この供給管の下流部に設けられた、前記人工呼吸される人の口を覆うことができるあるいは口に咥えさせることができる空気供給補助具とで構成されているので、空気供給補助具を人工呼吸される人に取付けて供給管に呼気等の空気を供給するだけで人工呼吸することができる。
したがって、簡易に人工呼吸することができる。
【０００９】
（２）前記（１）によって、直接口を付けないので、誰もが抵抗なく人工呼吸を行うことができる。
【００１０】
（３）前記（１）によって、空気供給補助具を用いるので、人工呼吸される人の口から空気が漏れてしまう不具合を防止することができる。
したがって、確実に人工呼吸を行うことができる。
【００１１】
（４）前記（１）によって、人工呼吸される人の口から離れた位置で空気の吸入作業を行うことができるので、人工呼吸を行う人の作業時の視野を広く確保することができる。
したがって、人工呼吸される人を全体的に観察しながら人工呼吸を行うことができるので、呼吸回復時等に迅速に対応することができる。
【００１２】
（５）前記（１）によって、構造が簡単であるので、容易に製造することができる。
【００１３】
（６）請求項２、４も前記（１）〜（５）と同様の効果が得られる。  
【００１４】
（７）請求項３も前記（１）〜（５）と同様の効果が得られるとともに、ノーズクリップによって鼻孔を閉塞させることができる。
したがって、人工呼吸時に手で鼻を摘まなくてもよいので、より簡易に人工呼吸を行うことができる。
【発明を実施するための最良の形態】
【００１５】
以下、図面に示す本発明を実施するための最良の形態により、本発明を詳細に説明する。
【００１６】
図１ないし図５に示す本発明を実施するための最良の第１の形態において、１は、人工呼吸を行うことができる本発明の人工呼吸器で、この人工呼吸器１は、  呼気等の空気２を人工呼吸される人３の口内３ａに供給することができる供給管４と、この供給管４の下流部に設けられた、前記人工呼吸される人３の口を覆うことができるあるいは口に咥えさせることができる、本形態では口を覆うことができる空気供給補助具５とで構成されている。
【００１７】
前記供給管４は、プラスチック、金属等の材質でパイプ状に形成され、上流部には人工呼吸する人６が咥えて呼気（空気）２を供給するための供給口７が形成されるとともに、下流部には前記供給口７から供給された呼気（空気）２が噴出される噴出し口８が形成されている。なお、当該噴出し口８は、人工呼吸される人３の口内３ａに配されるように構成される。
【００１８】
前記空気供給補助具５は、人工呼吸される人３の口を覆うことができるように透明プラスチック等でカップ状に形成された供給具本体９と、この供給具本体９の先端部に形成された、前記供給管４の下流部が挿通される挿入孔１０とで構成されている。また、この挿入孔１０には、ゴムリング１０ａが備えられ、前記供給管４を弾性的に取付けている。なお、前記空気供給補助具５は、両側部にゴムバンド等を取付けるように構成して、このゴムバンド等を人工呼吸される人３の頭部より通して所定箇所に当該空気供給補助具５を固定するように構成してもよく、さらに、供給具本体９内にガーゼ等の水分吸収体を着脱可能に取付けるように構成してもよい。
【００１９】
上記構成の人工呼吸器１は、先ず、図５に示すように、人工呼吸される人３の口を覆うように空気供給補助具５をあてがう。これによって、供給管４は、噴出し口８が前記人工呼吸される人３の口内３ａに配される。
【００２０】
次に、人工呼吸される人３の鼻を摘み、この状態で供給管４の供給口７から呼気（空気）２を吹き入れて人工呼吸を行う。
【００２１】
なお、この人工呼吸を行うにあたっては、人工呼吸をしながら、視線を人工呼吸される人３の顔や胸部等に向けるだけで当該人工呼吸される人３の様子を簡易に観察することができる。
{発明を実施するための異なる形態}
【００２２】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図６ないし図８に示す本発明を実施するための第２の形態において、前記本発明を実施するための最良の第１の形態と主に異なる点は、ビニール製のホースで形成された供給管４Ａと、可撓性を有する軟質樹脂製で形成された、人工呼吸される人３の口に咥えさせることができるマウスピース型の供給具本体９Ａを構成した空気供給補助具５Ａとを用いた点で、このような供給管４Ａと空気供給補助具５Ａとを用いた人工呼吸器１Ａにしても前記本発明を実施するための最良の第１の形態と同様の作用効果が得られる。
【００２４】
なお、本形態において、空気供給補助具５Ａは、口に咥える部分にガーゼ等の水分吸収体を着脱可能に取付けるように構成してもよい。
【００２５】
図９ないし図１１に示す本発明を実施するための第３の形態において、前記本発明を実施するための第２の形態と主に異なる点は、供給管４Ａの供給口７に、空気２Ａを供給することができる足踏み型のポンプで構成された空気供給具１１を用いるとともに、この空気供給具１１に、人工呼吸される人３が大人あるいは子供等である場合に空気２Ａの供給量を選択することができる空気供給量調節具１２を設けた点で、このような空気供給量調節具１２を設けた空気供給具１１を構成した人工呼吸器１Ｂにしても前記本発明を実施するための最良の第１の形態と同様の作用効果が得られるとともに、人工呼吸される人３に合わせて供給する空気２Ａの量を調節することができるので、過度の空気２Ａが供給されてしまう等の不具合を確実に回避することができる。
【００２６】
前記空気供給量調節具１２は、空気供給具１１の一方の押圧板１３の後端部寄りの部位に枢支ピン１４、１４によって上下方向に回動可能に取付けられた金属製の枠部材１５で構成され、この枠部材１５の先端部が上方に配設された場合に、他方の押圧板１３Ａの後端部寄りの部位と当接して当該他方の押圧板１３Ａの押圧状態を阻止するように構成されている。
【００２７】
なお、前記空気供給量調節具１２は、空気供給具１１の一方の押圧板１３の後端部寄りの部位に枢支ピン１４、１４によって上下方向に回動可能に取付けられた金属製の枠部材１５で構成されたものについて説明したが、本発明はこれに限らず、例えば、他方の押圧板１３Ａに前記枠部材１５を取付けて構成する等、人工呼吸される人３に合わせて空気２Ａの供給量を調節することができる構成であれば、どのような構成であってもよい。
【００２８】
図１２および図１３に示す本発明を実施するための第４の形態において、前記本発明を実施するための第３の形態と主に異なる点は、手動式のポンプで構成された空気供給具１１Ａを用いるとともに、供給管４Ａに紐１６によって取付けられて設けられた、人工呼吸される人３の鼻孔３ｂを閉塞することができるノーズクリップ１７を用いた点で、このようなノーズクリップ１７および空気供給具１１Ａを構成した人工呼吸器１Ｃにしても前記本発明を実施するための第３の形態と同様の作用効果が得られるとともに、ノーズクリップ１７によって鼻孔を閉塞させることができるので、人工呼吸時に手で鼻を摘まなくても効率よく人工呼吸を行うことができる。なお、本形態においては、人工呼吸される人３が大人や子供等である場合に応じて、空気２Ａの供給量が異なる空気供給具１１Ａ（大人用）、１１Ａ（子供用等）・・・を、適宜選択して用いるように構成してもよい。
【００２９】
図１４ないし図１６に示す本発明を実施するための第５の形態において、前記本発明を実施するための第４の形態と主に異なる点は、ノーズクリップ１７Ａを一体成形した弾性を有する合成樹脂材で形成された空気供給補助具５Ｂを用いた点で、このような空気供給補助具５Ｂを構成した人工呼吸器１Ｄにしても前記本発明を実施するための第４の形態と同様の作用効果が得られる。
【００３０】
なお、本形態において、ノーズクリップ１７Ａは、弾性を有する合成樹脂材で形成された空気供給補助具５Ｂに一体成形されたものについて説明したが、本発明はこれに限らず、空気供給補助具５Ｂを、例えば布材で形成し、ノーズクリップ１７Ａを、弾性を有する金属プレートで形成して当該空気供給補助具５Ｂに内在させるように構成してもよい。
【００３１】
図１７に示す本発明を実施するための第６の形態において、前記本発明を実施するための最良の第１の形態と主に異なる点は、供給管４Ａと、この供給管４Ａの下流部に、空気２の供給路１８を有する取付け部１９を介して設けられた、前記空気２を人工呼吸される人３の口内に供給することができる空気供給パイプ２０と、この空気供給パイプ２０が一体形成された、前記人工呼吸される人３の口を覆うことができる空気供給補助具５Ｃとで人工呼吸器１Ｅを構成した点で、このような人工呼吸器１Ｅにしても前記本発明を実施するための最良の第１の形態と同様の作用効果が得られる。
【００３２】
また、前記本発明を実施するための各形態において、供給管４（４Ａ）に空気を供給する方法として、人による呼気（空気）２の供給や、足踏み型のポンプ・手動式のポンプ等で構成された空気供給具１１（１１Ａ）を用いるものについて説明したが、本発明はこれに限らず、機械式のポンプ等で空気を供給するように構成してもよい。
【００３３】
さらに、前記本発明を実施するための各形態において、供給管４（４Ａ）は、空気２（２Ａ）の逆流を防止する逆止弁を内在させて構成したり、人工呼吸する人６の唾液の吹き込み等を防止して衛生的に用いるためのフィルターを着脱可能に取付ける（例えば、供給口７の部位に取付ける）ように構成してもよい。
【産業上の利用可能性】
【００３４】
本発明は人工呼吸器を生産する産業で利用される。
【図面の簡単な説明】
【００３５】
【図１】本発明を実施するための最良の第１の形態の正面図。
【図２】本発明を実施するための最良の第１の形態の平面図。
【図３】本発明を実施するための最良の第１の形態の底面図。
【図４】図１の４−４線に沿う断面図。
【図５】本発明を実施するための最良の第１の形態の使用状態の説明図。
【図６】本発明を実施するための第２の形態の正面図。
【図７】本発明を実施するための第２の形態の底面図。
【図８】図６の８−８線に沿う断面図。
【図９】本発明を実施するための第３の形態の正面図。
【図１０】本発明を実施するための第３の形態の平面図。
【図１１】本発明を実施するための第３の形態の側面図。
【図１２】本発明を実施するための第４の形態の正面図。
【図１３】ノーズクリップの説明図。
【図１４】本発明を実施するための第５の形態の正面図。
【図１５】本発明を実施するための第５の形態の空気供給保持具の背面図。
【図１６】本発明を実施するための第５の形態の空気供給保持具の正面図。
【図１７】本発明を実施するための第６の形態の一部破断正面図。
【符号の説明】
【００３６】
１、１Ａ〜１Ｅ：人工呼吸器、      
２、２Ａ：空気、            ３：人工呼吸される人、  
４、４Ａ：供給管、          ５、５Ａ〜５Ｃ：空気供給保持具、
６：人工呼吸する人、        ７：供給口、
８：噴出し口、              ９、９Ａ：供給具本体、
１０：挿入孔、              １１、１１Ａ：空気供給具、
１２：空気供給量調節具、    １３、１３Ａ：押圧板、
１４：枢支ピン、            １５：枠部材、
１６：紐、                  １７、１７Ａ：ノーズクリップ、
１８：空気の供給路、        １９：取付け部、
２０：空気供給パイプ。
【図１】
2005118203.tif 000003
【図２】
2005118203.tif 000004
【図３】
2005118203.tif 000005
【図４】
2005118203.tif 000006
【図５】
2005118203.tif 000007
【図６】
2005118203.tif 000008
【図７】
2005118203.tif 000009
【図８】
2005118203.tif 000010
【図９】
2005118203.tif 000011
【図１０】
2005118203.tif 000012
【図１１】
2005118203.tif 000013
【図１２】
2005118203.tif 000014
【図１３】
2005118203.tif 000015
【図１４】
2005118203.tif 000016
【図１５】
2005118203.tif 000017
【図１６】
2005118203.tif 000018
【図１７】
2005118203.tif 000019